(57)【要約】【解決手段】内視鏡器具（２６）を被覆するための装置は、被覆アッセンブリ（３４）を備え、該アッセンブリは、スリーブディスペンサー（４０）と、内視鏡作動チャンネル（２４）の基端ポート（３２）と嵌合するためのポートアダプター（４６）とを備え、内視鏡器具（２６）を作動チャンネル内へと被覆アッセンブリを通して押し進めることを可能にする。被覆アッセンブリ内の可撓性スリーブ（５０）は、スリーブディスペンサーに固定された末端部（５１）と、内視鏡器具が前記作動チャンネルから引き出されるとき該内視鏡器具と係合し、内視鏡器具を被覆するようにスリーブを基端方向にディスペンサーから延在させるように構成された基端部（５３）と、を備える。【選択図】図２
2007503948.tif 000002
【特許請求の範囲】
【請求項１】
内視鏡器具を被覆するための装置であって、
被覆アッセンブリであって、スリーブディスペンサーと、内視鏡作動チャンネルの基端ポートと嵌合するためのポートアダプターとを備え、前記内視鏡器具を前記作動チャンネル内へと前記被覆アッセンブリを通して押し進めることを可能にする、前記被覆アッセンブリと、
可撓性スリーブであって、前記スリーブディスペンサーに固定された末端部と、前記内視鏡器具が前記作動チャンネルから引き出されるとき該内視鏡器具と係合し、前記内視鏡器具を被覆するように前記スリーブを基端方向に前記ディスペンサーから延在させるように構成された基端部と、を備える、前記可撓性スリーブと、
を備える、装置。
【請求項２】
前記ポートアダプターが嵌合するように構成された前記内視鏡作動チャンネルは、可撓性内視鏡の内部に備えられる、請求項１に記載の装置。
【請求項３】
前記ポートアダプターが嵌合するように構成された前記内視鏡作動チャンネルは、内視鏡が患者の身体内に挿入されている間、該内視鏡と並んで配置されている、請求項１に記載の装置。
【請求項４】
前記器具は、患者の身体内で生物学的物質を捕捉するため前記作動チャンネルを通って延在するように構成され、前記内視鏡器具を前記作動チャンネルから引き出した後、前記スリーブディスペンサーは、前記内視鏡器具が前記スリーブで被覆されたままである間に、前記内視鏡器具が前記生物学的物質をコンテナ内に解放させることを可能にするように、該コンテナと連通するように構成されている、請求項１に記載の装置。
【請求項５】
前記内視鏡器具が前記作動チャンネルから引き出される前に、前記スリーブの少なくとも一部分が、前記スリーブディスペンサーに近接して束ねられ、前記内視鏡器具を引き出したことにより、前記スリーブの束ねられた部分を前記スリーブディスペンサーから基端方向に拡げさせる、請求項１に記載の装置。
【請求項６】
前記スリーブディスペンサー及びポートアダプターは、該ポートアダプターが前記基端ポートと嵌合するとき前記内視鏡作動チャンネルの基端ポートと整列される通路を形成し、それにより、前記内視鏡器具は、該内視鏡器具が前記通路を通って前記作動チャンネル内に挿入されるとき前記スリーブの前記束ねられた部分を通過する、請求項５に記載の装置。
【請求項７】
前記被覆アッセンブリは、前記スリーブの前記基端部に固定され、且つ、該アッセンブリを通過するアパーチャを有する、一方向プラグを備え、該一方向プラグは、前記内視鏡器具が前記被覆アッセンブリを通って前記作動チャンネル内に押し進められたとき前記アパーチャを通って前進することを可能とすると共に、前記一方向プラグは、前記内視鏡器具が前記作動チャンネルから引き出されるとき前記内視鏡器具と係合し、前記スリーブの前記束ねられた部分を前記スリーブディスペンサーから展開させることを可能にするように構成される、請求項６に記載の装置。
【請求項８】
前記被覆アッセンブリは、前記通路と連通し流体ポートを備えるチャンネル連結部を備え、該流体ポートを通して、吸引及び洗浄の少なくとも１つを前記作動チャンネルに適用することができる、請求項６に記載の装置。
【請求項９】
前記内視鏡器具は、少なくとも一部分が前記作動チャンネル内に挿入される細長いシャフトと、該シャフトに末端側に固定された作動要素と、を備え、前記スリーブは、前記内視鏡器具が前記作動チャンネルから引き出されるとき、前記作動要素と、前記作動チャンネル内に挿入されていた前記シャフトの実質的に全ての部分とを覆うように構成されている、請求項１に記載の装置。
【請求項１０】
前記被覆アッセンブリ及び前記スリーブは、前記内視鏡器具が前記作動チャンネルから引き出された後、前記基端ポートから脱着され、前記内視鏡器具と共に処分されるように構成される、請求項９に記載の装置。
【請求項１１】
前記被覆アッセンブリ及び前記スリーブは、前記内視鏡器具が前記作動チャンネルから引き出された後、前記スリーブが前記作動チャンネル内に以前に挿入されていたシャフトの一部分を覆い、該スリーブが前記ディスペンサーから前記基端方向に延在し続けている間に、前記内視鏡器具を前記作動チャンネル内へと繰り返し可能に押し進めることを可能にするように構成されている、請求項９に記載の装置。
【請求項１２】
内視鏡器具を被覆するための方法であって、
前記内視鏡器具を前記作動チャンネル内へと前記スリーブを通して押し進めることを可能にするように、内視鏡作動チャンネルの基端ポートに可撓性スリーブの末端部を接続し、
前記内視鏡器具が前記作動チャンネルから引き出されるとき、前記内視鏡器具を被覆するため前記スリーブを基端方向に前記基端ポートから延在させるように、前記可撓性スリーブの基端部を前記内視鏡器具と係合するように連結する、各工程を備える方法。
【請求項１３】
前記スリーブが接続されているところの前記内視鏡作動チャンネルは、可撓性内視鏡の内部に備えられている、請求項１２に記載の方法。
【請求項１４】
前記スリーブが接続されているところの前記内視鏡作動チャンネルは、前記内視鏡が患者の身体内に挿入されている間に内視鏡と並んで配置されている、請求項１２に記載の方法。
【請求項１５】
生物学的物質を患者の身体内に捕捉するため前記内視鏡器具を前記作動チャンネルを通して挿入し、
前記生物学的物質を捕捉した後、前記作動チャンネルから前記内視鏡器具を引き出し、
前記内視鏡器具を前記作動チャンネルから引き出した後、前記内視鏡器具が前記スリーブで被覆されたままである間に、前記内視鏡器具が前記生物学的物質を前記コンテナ内に解放することを可能にするように、前記スリーブをコンテナと連通するため連結する、各工程を備える、請求項１２に記載の方法。
【請求項１６】
前記可撓性スリーブの末端部を接続する工程は、前記内視鏡器具が前記作動チャンネル内に挿入されたとき該内視鏡器具が前記スリーブの束ねられた部分を通過するように該スリーブの少なくとも一部分を前記基端ポートの近傍で束ねる工程を備え、
前記可撓性スリーブの基端部を連結する工程は、前記作動チャンネルから前記内視鏡器具が引き出されたことに応答して前記スリーブの束ねられた部分を基端方向に展開させる工程を備える、請求項１２に記載の方法。
【請求項１７】
前記可撓性スリーブの基端部を連結する工程は、該スリーブの基端部に一方向プラグを固定する工程を備え、
前記一方向プラグは、該プラグを貫通するアパーチャを有し、該一方向プラグは、前記内視鏡器具が前記被覆アッセンブリを通して前記作動チャンネルへと押し進められるとき前記内視鏡器具が前記アパーチャを通って押し進められることを可能にすると共に、前記内視鏡器具が前記スリーブの束ねられた部分を前記スリーブディスペンサーから展開させるように前記作動チャンネルから引き出されるとき、前記内視鏡器具と係合することを可能にするように構成されている、請求項１６に記載の方法。
【請求項１８】
前記内視鏡器具は、細長いシャフトと、該シャフトに末端側に固定された作動要素と、を備え、該シャフトの少なくとも一部分は、前記作動チャンネル内に挿入されており、
前記可撓性スリーブの末端部を前記内視鏡器具に係合させるため連結する工程は、該内視鏡器具が前記作動チャンネルから引き出されるとき、前記スリーブが前記作動要素と前記作動チャンネル内に挿入されていた前記シャフトの実質的に全ての部分とを覆うように前記可撓性スリーブを連結する工程を備える、請求項１２に記載の方法。
【請求項１９】
前記内視鏡器具を前記作動チャンネルから引き出した後、前記スリーブを前記基端ポートから取り外す工程と、前記作動チャンネル内に挿入されていた前記シャフトの実質的に全ての部分が前記スリーブにより覆われている間に、該スリーブを前記内視鏡器具と共に処分する工程と、を備える、請求項１８に記載の方法。
【請求項２０】
前記内視鏡器具を前記作動チャンネルから引き出した後、前記スリーブが前記作動チャンネル内に以前に挿入されていた前記シャフトの一部分を覆い、該スリーブが前記ディスペンサーから前記基端方向に延在し続けている間に、前記内視鏡器具を前記作動チャンネル内へと繰り返し押し進めることを可能にするように前記スリーブを配列する工程を備える、請求項１２に記載の方法。
【発明の詳細な説明】
【技術分野】
【０００１】
本発明は、概して、内視鏡に係り、詳しくは、内視鏡器具を身体通路から引き抜いた後、該内視鏡器具を覆うための使い捨てスリーブの使用法に関する。
【背景技術】
【０００２】
内視鏡を覆うため使い捨てスリーブ（シースとも称される）を使用することは、当該技術分野で周知されている。例えば、結腸内視鏡等の可撓性内視鏡は、徹底的に洗浄し、消毒することは困難であることが知られており、これは、患者間の交差汚染の問題を引き起こす。これらの問題は、使用後に廃棄される単一回使用のスリーブを用いて内視鏡を覆うことにより回避することができる。
【０００３】
内視鏡は、一般に、作動チャンネルを有し、該作動チャンネルは、身体の外部の隣接するポートから内視鏡の末端部における末端ポートまで延在している。内視鏡の末端部が身体内に挿入されるとき、とりわけ、例えば生体組織検査等の外科処置を実行するため内視鏡の末端部に外科器具を通過させるように作動チャンネルを使用することができる。この態様で使用される器具は、患者の身体の内部からの生物学的物質で汚染されるようになる。器具が身体から引き抜かれるとき、作動チャンネルの内部へと、及び、内視鏡の基端部へと汚染物が拡散するおそれがある。
【０００４】
内視鏡を汚染物質から保護する作動チャンネルを提供すると共に内視鏡を被覆するための方法が、例えば米国特許番号４，６４６，７２２号及び４，７４１，３２６号に記載されており、これらの開示内容は、ここで参照したことで本願に組み込まれる。これらの特許は、内視鏡それ自体の外部に、使い捨て作動チャンネルを追加することにより（米国特許番号４，６４６，７２２号）、又は、内視鏡の作動チャンネルの内部に使い捨てライナーを追加することにより、内視鏡の汚染を防止することを試みている。しかし、それらの特許は、外科器具を作動チャンネルの基端ポートから引き出すとき、汚染物質が内視鏡の基端部の回りの領域へと拡大するおそれがあるという問題に取り組んでいない。
【発明の開示】
【課題を解決するための手段】
【０００５】
本発明の実施形態は、患者の身体から取り外されたとき内視鏡器具を被覆することに使用するための方法及び装置を提供する。そのような被覆工程は、身体の内部で前記器具を接着させ得る汚染物質が操縦者の手、内視鏡のハンドル又は患者の身体の外側の他の物質と接触することを防止する。その結果、患者間の交差汚染の可能性が減少し、内視鏡及び補助的な設備品を使用していないときに洗浄し、殺菌する仕事が簡単になる。
【０００６】
本発明の実施形態では、スリーブディスペンサーを備える被覆アッセンブリは、患者の身体外部で、内視鏡作動チャンネルの基端ポートと嵌合する。可撓性スリーブは、典型的には、スリーブの残りの部分が内部で束ねられるか又は他の仕方でディスペンサーの近傍に保持されている状態で、該スリーブの末端部の近傍でディスペンサーに固定されている。細長い内視鏡器具は、該器具の末端部が内視鏡の末端部から突出するまで、ディスペンサー及び作動チャンネルを通して通過させられる。器具のシャフトがディスペンサー及び基端ポートを通って押し進められる間に、スリーブは、ディスペンサーのところで束ねられたままとなっている。しかし、器具が引き出されるときスリーブの基端部は器具のシャフトと係合し、それにより、器具が引き抜かれたとき、スリーブは、器具のシャフトを覆うようにその末端部を含んで該末端部まで、ディスペンサーから展開される。かくして、器具上の全ての汚染物質は、スリーブ内に留まっており、スリーブの外側がきれいなままであるため、汚染物質を拡散すること無しに自由に取り扱うことができる。
【０００７】
本発明の実施形態は、特に（排他的ではないが）、内視鏡の外側表面を覆うため使用される被覆アッセンブリで使用するのに適している。その例として、ＰＣＴ出願ＰＣＴ／ＩＬ０３／・・・に記載されているシステム又は当該技術分野で知られている他のシステム等がある。そのような被覆システムは、典型的には、使い捨て可能な作動チャンネル、又は、内視鏡の作動チャンネルの内部で嵌合して汚染物質から保護する使い捨て可能な内部スリーブを備えている。この種の内視鏡被覆は、内視鏡が患者の身体の内部にある間に内視鏡を覆い、それにより、内視鏡を殺菌した状態のままにする。被覆は、その後、除去され、内視鏡が再使用される。
【０００８】
他方、内視鏡器具は、一般に、身体内部で汚染されたようになることを可能にされる。本発明により教えられた被覆技術は、器具が作動チャンネルから引き抜かれた後、身体外部で内視鏡器具を覆うため使用される。オプションで、器具は、引き続いてスリーブから末端方向に作動チャンネルへと再び押し進められ、その後、スリーブ内に引き戻されてもよい。内視鏡処置が終了したとき、器具及びそのスリーブは、一緒に処分される。
【０００９】
従って、本発明に実施形態によれば、内視鏡器具を被覆するための装置は、被覆アッセンブリであって、スリーブディスペンサーと、内視鏡作動チャンネルの基端ポートと嵌合するためのポートアダプターとを備え、内視鏡器具を作動チャンネル内に被覆アッセンブリを通して押し進めることを可能にする、前記被覆アッセンブリと、可撓性スリーブであって、スリーブディスペンサーに固定された末端部と、内視鏡器具が作動チャンネルから引き出されるとき該内視鏡器具と係合し、該内視鏡器具を被覆するようにスリーブを基端方向にディスペンサーから延在させるように構成された基端部と、を備える前記可撓性スリーブと、を有して提供される。
【００１０】
典型的には、ポートアダプターが嵌合するように構成された内視鏡作動チャンネルは、可撓性内視鏡の内部に備えられている。代替例として、内視鏡作動チャンネルは、内視鏡が患者の身体内に挿入されている間に内視鏡と並んで配置されている。
【００１１】
開示された実施例では、内視鏡器具を作動チャンネルから引き出した後、スリーブディスペンサーは、内視鏡器具がスリーブで被覆されたままである間に、内視鏡器具が生物学的物質をコンテナ内に解放させることを可能にするように、該コンテナと連通するように構成されている。
【００１２】
典型的には、内視鏡器具が作動チャンネルから引き出される前に、スリーブの少なくとも一部分が、スリーブディスペンサーに近接して束ねられ、内視鏡器具を引き出したことにより、スリーブの束ねられた部分がスリーブディスペンサーから基端方向に拡げさせられる。スリーブディスペンサー及びポートアダプターは、該ポートアダプターが基端ポートと嵌合するとき内視鏡作動チャンネルの基端ポートと整列される通路を形成し、それにより、内視鏡器具は、該内視鏡器具が通路を通って作動チャンネル内に挿入されるときスリーブの束ねられた部分を通過する。被覆アッセンブリは、スリーブの基端部に固定され、且つ、該アッセンブリを通過するアパーチャを有する、一方向プラグを備え、該一方向プラグは、内視鏡器具が被覆アッセンブリを通って作動チャンネル内に押し進められたときアパーチャを通って前進することを可能とすると共に、内視鏡器具が作動チャンネルから引き出されるとき内視鏡器具と係合し、スリーブの束ねられた部分をスリーブディスペンサーから展開させることを可能にするように構成される。オプションで、被覆アッセンブリは、通路と連通し流体ポートを備えるチャンネル連結部を備え、該流体ポートを通して、吸引及び洗浄の少なくとも１つを作動チャンネルに適用することができる。
【００１３】
開示された実施例では、内視鏡器具は、細長いシャフトと、該シャフトに末端側に固定された作動要素と、を備え、該シャフトの少なくとも一部分は、作動チャンネル内に挿入され、スリーブは、内視鏡器具が作動チャンネルから引き出されるとき、作動要素と、作動チャンネル内に挿入されていたシャフトの実質的に全ての部分と、を覆うように構成されている。典型的には、被覆アッセンブリ及びスリーブは、内視鏡器具が作動チャンネルから引き出された後、基端ポートから脱着され、内視鏡器具と共に処分されるように構成される。これに加えて、又は、代替例として、被覆アッセンブリ及びスリーブは、内視鏡器具が作動チャンネルから引き出された後、スリーブが前記作動チャンネル内に以前に挿入されていたシャフトの一部分を覆い、該スリーブがディスペンサーから基端方向に延在し続けている間に、内視鏡器具を作動チャンネル内へと繰り返し可能に押し進めることを可能にするように構成されている。
【００１４】
本発明の実施形態によれば、内視鏡器具を被覆するための方法は、内視鏡器具を作動チャンネル内へとスリーブを通して押し進めることを可能にするように、内視鏡作動チャンネルの基端ポートに可撓性スリーブの末端部を接続し、内視鏡器具が作動チャンネルから引き出されるとき、内視鏡器具を被覆するためスリーブを基端方向に基端ポートから延在させるように、可撓性スリーブの基端部を前記内視鏡器具と係合するように連結する、各工程を備える。
【００１５】
本発明は、添付図面を参照しつつ、その実施例の次の詳細な説明からより完全に理解されよう。
【実施例】
【００１６】
図１は、本発明の一実施例に係る内視鏡処置を実行するためのシステム２０の概略図である。システム２０は内視鏡２２を備え、該内視鏡は、該内視鏡を通って通過する作動チャンネル２４を有する。チャンネル２４は、典型的には、内視鏡のハンドル３０又は該ハンドル近傍にある基端ポート３２から、内視鏡の末端部に設けられた末端ポート３３へと内視鏡２２を通過する。内視鏡器具２６は、患者の身体内部の内視鏡の末端部に隣接した領域にアクセスするため、チャンネル２４を通して挿入される。典型的には、器具２６は、その末端部に作動要素２８を備えた細長いシャフト２７を備える。図１に示された例では、作動要素２８は、生体検査鉗子を備え、該鉗子は、末端ポート３３に隣接した、患者の身体内で組織サンプルを採取するように働かせることができる。代替例として又はこれに加えて、チャンネル２４は、当該技術分野で同様に知られているように、末端ポート３３を通して吸引作用を実行するため又は末端ポートの外部の領域に流体又はガスを接触させるため使用することができる。
【００１７】
内視鏡２２は、使い捨てシースにより覆われてもよく、チャンネル２４は、上記した米国特許番号４，７５１，３２６号又はＰＣＴ出願ＰＣＴ／ＩＬ／・・・号に記載されているように、内視鏡を汚染物質から保護するため、同様に内部が被覆されていてもよい。しかし、そのような被覆は、図を簡単にするため、図１から省略されている。代替例として又はこれに加えて、チャンネル２４は内視鏡の内部を通過するものとして図面に示されているが、内視鏡作動チャンネルは、例えば上記した米国特許番号４，６４６，７２２号に記載されているように、内視鏡と並んで固定された、別個の管、典型的には使い捨ての管を備えていてもよい。本発明は、これらの種類の作動チャンネルのいずれにも使用するのに適したものとなっている。
【００１８】
器具２６の少なくとも作動要素２８が組織及び患者の身体内の他の生物学的物質と接触するようになるので、器具及び作動チャンネルの内部（又は、作動チャンネルの内側を覆っている内部シース）は、必然的に使用中に汚染されるようになる。器具２６からのハンドル３０、操作者の手及び身体外部の他の領域への汚染の拡散を防止するため、被覆アッセンブリ３４が、ポート３２に嵌合される。被覆アッセンブリ３４の使用は、引き続く図面を参照して詳細に記載されている。典型的には、アッセンブリ３４は、ポート３２と嵌合し、それにより、アクチュエータを通した通路３５は、作動チャンネル２４と整列される。器具２６は、通路３５を通って作動チャンネル２４内に挿入され、通常の態様で使用することができる。アッセンブリ３４は、典型的には器具２６が作動チャンネルに挿入されていないとき、吸引、ガス圧力の印加及び／又はチャンネル２４を通した洗浄を適用する際に使用するための流体ポート３６を備えていてもよい。これに加えて又は代替例として、アッセンブリ３４は、内視鏡２２の内部にあるか又は該内視鏡と並んで配置された追加のチャンネルと嵌合するための追加のポート（図示せず）を備えていてもよい。
【００１９】
図２は、本発明の実施例に係る、被覆アッセンブリ３４の概略断面図である。アッセンブリ３４は、幾つかの分離可能な部品を備えたものとして示されており、それらの機能は後述される。代替例として、アッセンブリ３４は、当業者に明らかであるように、単一の一体ユニットを構成してもよく、又は、様々に異なる機能区分へと分割されてもよい。本実施例では、スリーブディスペンサー４０は、ディスペンサー４０内で最初に束ねられた可撓性スリーブ５０を保持する。典型的には、スリーブ５０は、約２０μｍの厚さを有する、可撓性の生体適合性のプラスチック、例えばポリアミドから作られる。ディスペンサー４０は、チャンネル連結部４２に連結され、該連結部は、弾性カプラー４４の近傍に流体ポート３６を備える。連結部４２は、ポートアダプター４６に固定され、該ポートアダプタは、図１に示されるように、内視鏡２２の基端ポート３２と嵌合する。典型的には、ディスペンサー４０、連結部４２及びアダプター４６は、例えばＰＶＣ等の剛性プラスチック材料から構成され、カプラー４４は、シリコン等のより柔らかい弾性材料から構成される。
【００２０】
スリーブ５０は、その末端部５１でディスペンサー４０に固定され、基端部５３（右側）は、プラグ４８に固定されている。プラグ４８は、典型的には、シリコン等の弾性材料から構成され、器具２６のシャフト２７の回りにピッタリと嵌合するアパーチャを含んでいる。プラグは、器具２６のシャフト２７を末端方向に該プラグを通して患者の身体内にほとんど抵抗無しに前進させることができるように設計されている。しかし、器具が基端方向に引き出されるとき、プラグ４８は、シャフトに捕捉され、次に続く図面に示されるように、プラグ及びそれと一緒にスリーブ５０を基端方向にアッセンブリ４０から引き出させる。この目的のために、プラグ４８内のアパーチャは、図面に示されるように、適切にテーパーが形成されていてもよい。代替例として、当業者に明らかであるように、他の種類の一方向プラグを使用してもよい。
【００２１】
図２のはめ込み拡大図に示されるように、作動チャンネル２４は、基端ポート３２から被覆アッセンブリ３４内に突出してもよい。代替例として、被覆アッセンブリは、上述されたように、作動チャンネル２４を整列させるため使用される内部スリーブ（図示せず）の基端部に適合させられる。器具２６が作動チャンネル２４及び被覆アッセンブリ３４内に完全に収容されるように、作動チャンネル又はスリーブの基端部は、連結部４２と嵌合する。被覆アッセンブリ３４は、内視鏡の外部で、同様に使い捨て作動チャンネルと嵌合するように適合されていてもよい。
【００２２】
図３は、本発明の一実施例に係る被覆アッセンブリ３４を通して器具２６を引き出した状態を示す概略図である。器具が基端方向（図面の右側に向かう方向）に引き出されるとき、プラグ４８は、シャフト２７を把持すると共に、スリーブ５０を次第に拡げさせ、該スリーブを器具のシャフトと共にディスペンサー４０から供給させる。典型的に、器具が引き出されている間、プラグは、器具がアッセンブリ３４内へと推し進められたときプラグに到達したシャフト上で最も基端側の位置でシャフト２７に固定されたままとなっている。従って、器具２６が引き出されるとき、以前に作動チャンネル２４に入っていたシャフト２７の全長は、スリーブ５０によって、作動要素２８まで該作動要素を含んで被覆される。所望ならば、器具が（全体的に又は部分的に）引き出された後、器具をスリーブ５０から取り外すこと無く、作動チャンネル内へと繰り返し前進させることができる。この状況では、スリーブは、以前では作動チャンネル内に挿入された（これにより、汚染される）シャフト２７の任意の部分を覆い続けるが、今やディスペンサーから基端方向に延在した状態となっている。一旦、器具２６が内視鏡から完全に引き出され、これと同時にスリーブ５０により被覆されたならば、アッセンブリ３４をポート３２から脱着し、器具と共に処分することができる。
【００２３】
図４は、本発明の実施例に従って器具２６の作動要素２８からサンプルコンテナ６０に組織サンプルを移行する状態を示す概略図である。本実施例では、器具２６は、内視鏡２２から完全に引き出され、被覆アッセンブリ３４は、ポート３２から脱着されている。ディスペンサー４０は、図に示されるように、連結部４２から分断され、コンテナ６０の首部に連結される。この時点で、作動要素２８が、患者の身体内部に捕捉された生体検査サンプルを保持する生体検査鉗子を備えるものと仮定すると、例えば、器具２６の操作者は、要素２８をコンテナ６０の首部へと押し進め、鉗子を解放して生体検査サンプルをコンテナ内へと解放することができる。かくして、作動要素２８及び該要素が捕捉しているサンプルは、スリーブ５０及びコンテナ６０の外部の環境へと決してさらされることはなくなる。
【００２４】
被覆アッセンブリ３４は、比較的大きい作動チャンネルを有する、結腸内視鏡及び胃鏡等の胃腸管内に挿入される可撓性内視鏡で使用するのに特に適したものである。代替例として、本発明の原理は、例えば内視鏡（剛性及び可撓性の両方）及び他の身体通路内及び他の治療診断処置で使用されるカテーテル等、他の種類の医療プローブにおいて、管腔を通して挿入される被覆器具に適用することができる。
【００２５】
従って、上述された実施例は、単に例を用いて引用されており、本発明は、特定に示され、上述されたものに限定されるものではないことが認められる。本発明の範囲は、上記した様々な特徴の組み合わせ及び部分的組み合わせ、並びに、当業者が前述された説明を読むとき想到される従来技術には開示されていなかった本発明の変形及び変更の両方を含んでいる。
【図面の簡単な説明】
【００２６】
【図１】図１は、本発明の実施例に従って内視鏡処置を実行するためのシステムの概略図である。
【図２】図２は、本発明の実施例に従って内視鏡器具を覆うためのアッセンブリの概略断面図である。
【図３】図３は、本発明の実施例に係る被覆アッセンブリを通して内視鏡器具を引き出した状態を示す概略図である。
【図４】図４は、本発明の実施例に従って内視鏡器具からサンプルコンテナに組織を移行する状態を示す概略図である。
【図１】
2007503948.tif 000003
【図２】
2007503948.tif 000004
【図３】
2007503948.tif 000005
【図４】
2007503948.tif 000006
【国際調査報告】
2007503948.tif 000007
2007503948.tif 000008
2007503948.tif 000009
2007503948.tif 000010